(57)【要約】【課題】日照時間内に砂場を全て影で覆うすなば用テント。【解決手段】以前までは、太陽を体一杯に浴びることで元気になると言われており、特に乳幼児や児童達には日光浴を推進していた。また実際、病人やお年よりも数時間の日光浴をすることで元気になっていった。しかし、昨今日光浴をすることで大量の紫外線を浴びることになる。その結果、皮膚ガン等々の将来の体に及ぼす影響が大変問題となっている。日照時間内での日光浴で、子供達を紫外線から完全に守ることは不可能であるがせめて屋外の砂場で遊ぶときぐらいは安全に遊べるように、また、砂場に侵入して用便をする犬や猫の糞尿のばい菌やテントの支柱への追突によるケガから守るために、天幕を天上に張ったものだけのテント本体（１）の四辺いずれかの軒下（１２〜１５）にテントバイザー（２又は６）を取り付け、砂場（７）の状況により各支柱間（１６〜１９）の四面のいずれかにネットカプセル（４）を取り付け、各支柱（８〜１１）にブロックパット（５）を取り付けたものである。【選択図】  図１
2004169438.tif 000002
【特許請求の範囲】
【請求項１】
（イ）日照時間帯に対応して常時砂場（７）に日陰を作れる紫外線防止素材の天幕をテント本体（１）の四辺いずれかの軒下（１２、１３、１４、１５）に取り付けたものをテントバイザー（２又は６）とする。
（ロ）犬猫などのが砂場（７）に侵入し糞尿するのを防止するネットをアニマルネット（３）とし、アニマルネット（３）を収納する遊具箱を各支柱間（１６１７、１８、１９）のいずれかに取り付けたものをネットカプセル４とする。
（ハ）子供達がテント本体（１）の支柱（８、９、１０、１１）に追突したときの衝撃を吸収するクッション帯が個々に分離できるものを各支柱（８、９、
１０、１１）に取り付けたものをブロックパット（５）とする。
天上に天幕を張った日陰を作るだけのテント本体（１）にテントバイザー
（２又は６）と、ネットカプセル（４）と、ブロックパット（５）を設置したことを特徴とする、すなば用テント。
【発明の詳細な説明】
【０００１】
【発明の属する技術分野】
本発明は、幼稚園、保育所、養護施設などにある子供達が遊ぶ、すなばに設置する日除けテントに係わるものである。
【０００２】
【従来の技術】
従来この種のものとしては、支柱に布地でできた天幕を天上に張っただけのものであった。
【非特許文献１】
発行元・    日本帆布製品工業会連合会
発行日・    昭和４６年１月１４日
雑誌名・    ＴＥＮＴ  ＴＥＱＵＮＩＣＳ（テント  テクニクス）
タイトル・  日除けテント
記載ページ・３４
【０００３】
【発明が解決しようとする課題】
天幕を天上に張ったものだけでは、日照時間によりテント下の影の大きさや位置が変化するので、すなばを覆う影が一定ではなく砂場で遊ぶ時間帯が限られ、紫外線を浴びる時間が多くなる。
【０００４】
また、犬猫などの動物が砂場へ侵入するのを防ぐアニマルネットは、袋や箱などに入れ別の場所に保管しているため、収納の作業効率が非常に悪かった。
【０００５】
また、テントの支柱に衝撃保護用具がないので、子供達が遊んでいて支柱にぶつかってケガをすることがあった。
【０００６】
本発明は、従来の技術の有する問題点を解決するものであり、砂場で遊ぶ子供達を紫外線や犬猫などの糞害や支柱への追突の襲撃から守れる、安全なすなば用のテントを提供しようとするものである。
【０００７】
【課題を解決するための手段】
天幕を天上に張ったものだけのテント本体（１）の四辺いずれかの軒下（１２〜１５）にテントバイザー（２又は６）を取り付け、砂場（７）の状況により各支柱間（１６〜１９）の四面のいずれかにネットカプセル（４）を取り付け、各支柱（８〜１１）にブロックパット（５）を取り付ける。
【０００８】
【発明の実施の形態】
本発明のすなば用テントの最大の目的は、砂場で遊ぶ子供達を紫外線や動物のばい菌やケガから守ることである。
【０００９】
【実施例】
図面を参照して説明する。
図１のテントバイザー２又は６は、図２の軒先テント式２及び図３のカーテン式６のいずれかを砂場の状況やスペースにより選択することができる。
図２のテントバイザー２は、天幕が前後に伸縮し上下に移動可能なテントで、通常商店の玄関等に見られる軒先テントの形式を取り入れ、日陰をより多く必要とするいずれかの軒下１２〜１５の支柱（８〜９、９〜１０、１０〜１１、１１〜８）に取り付ける。
図３のテントバイザー６は、日陰を必要とするいずれかの軒下１２〜１５の支柱（８〜９、９〜１０、１０〜１１、１１〜８）にカーテンレールを設け、室内カーテンのように左右移動できるように取り付ける。
図２、図３のテントバイザーの天幕素材は、紫外線を防止できる素材とする。
操作は太陽の動きに合わせて影ができるように、
図２のテントバイザー２であればバイザーを軒下から前方へ伸ばし影が最大に作れるようにバイザーを上下さす。
また、図３のテントバイザー６であれば、太陽のあたる軒下面のカーテンで砂場を巻くようにレール上を移動させる。
【００１０】
図１のネットカプセル４に収納するアニマルネット３は、ゴルフ場やテニスコートや風防等に使用されている網目状になったもので、砂場全体を覆い固定するネットである。
図４は、傾斜板の下箱にアニマルネットを収納するすべり台式になったネットカプセル４である。
図５は、飛び箱の下台にアニマルネットを収納するネットカプセル４である。図４、図５のネットカプセル４の設置場所は、各支柱間（１６、１７、１８、１９）のいずれかに固定設置する。
【００１１】
図６は、各支柱（８〜１１）を包みこむための、接合部材２０を有したクッション帯で、個々に自在に着脱できるブロックパット５である。ブロックパットは積み重ねることでクッションの長さをに調節することができ、また、個々に表面の色を数色使用することでカラフルなテントの支柱を楽しむことができる。
【００１２】
【発明の効果】
以前までは、太陽を体一杯に浴びることで元気になると言われており、子供達には日光浴を推進していた。また実際、病人やお年よりも数時間の日光浴をすることで元気になっていった。しかし、昨今紫外線を浴びることによる皮膚ガン等々の将来の体に及ぼす影響が大変問題となっている。
日照時間内で太陽を浴びる子供達を、紫外線から完全に守ることは不可能であるが、せめて砂場で遊ぶときぐらいは安全に遊べるように、将来に及ぼす悪影響をできる限り低く押させることができればという願から、今回のすなば用テントを発明しようとしたものである。
本発明のすなば用テントは、テントバイザーを設けることで太陽の動きに対応することができ、砂場で遊ぶ子供達を紫外線から守ることができる。
【００１３】
アニマルネットを収納するネットカプセルがテント本体に設置されているので保管場所がいらなくなり、収納作業効率が上がる。また、ネットカプセルをすべり台や飛び箱として利用すれば収納箱自体が遊具としても使用できる。
【００１４】
ブロックパットは、積み重ねることで支柱の長さに対応することができる。
砂場での遊びの最中に誤ってテントの支柱にぶつかることがあるので、支柱をクッション帯で巻き付けることで体への衝撃を軽減できる。
また、ブロックパットは単体でも効果があるがあるため、別のポール等に利用できる。ブロックパットの表面はいろいろな色を楽しむことができる
【図面の簡単な説明】
【図１】本発明の要部斜視図。
【図２】テントバイザーの要部斜視図。
【図３】テントバイザーの要部斜視図。
【図４】すべり台式ネットカプセルの要部斜視図。
【図５】飛び箱式ネットカプセルの要部斜視図。
【図６】ブロックパットの要部斜視図。
【符号の説明】
１  テント本体
２  テントバイザー
３  アニマルネット
４  ネットカプセル
５  ブロックパット
６  テントバイザー
７  砂場
８  支柱
９  支柱
１０  支柱
１１  支柱
１２  軒下
１３  軒下
１４  軒下
１５  軒下
１６  支柱間
１７  支柱間
１８  支柱間
１９  支柱間
２０  接合部材
【図１】
2004169438.tif 000003
【図２】
2004169438.tif 000004
【図３】
2004169438.tif 000005
【図４】
2004169438.tif 000006
【図５】
2004169438.tif 000007
【図６】
2004169438.tif 000008